【手続補正書】
【提出日】平成26年9月3日(2014.9.3)
【手続補正２】
【補正対象書類名】特許請求の範囲
【補正対象項目名】全文
【補正方法】変更
【補正の内容】
【特許請求の範囲】
【請求項１】
以下のステップを含む、着用者の顔面に装着され、かつフィルタリングを提供するためのプリーツ付きで、顔面の拡張および収縮によるあらゆる顔面の動きを許容するように全体構造は連続し、隣接し、抵抗のない可撓性フィルタリングフェイスピースマスクを作製する方法であって、
支持体および透かし加工プラスチックを通る空気の自由な通過を可能にするための複数の穿孔を提供するために、透かし加工可撓性プラスチック材料から形成される、少なくとも１層の可撓性プラスチック材料を提供するステップと、
空気中の不純物を濾過するための、フィルタ材料の層を提供するステップと、
順に重ねて位置して可撓性プラスチック材料およびフィルタ材料の多層を形成するように、透かし加工可撓性プラスチック材料から形成される前記少なくとも１層の可撓性プラスチック材料、および空気中の不純物を濾過するための前記フィルタ材料の層を置くとともに、前記多層において前記可撓性プラスチック材料が前記フィルタ材料のための支持を提供するステップと、
プリーツ付き材料になるようにシート材料にプリーツを付けるためのプリータを提供するとともに前記プリーツ付き材料が連続し、隣接し、抵抗のない全体構造を有するステップと、
前記可撓性プラスチック材料およびフィルタ材料の多層を前記プリータに移動させるステップと、
可撓性プラスチック材料およびフィルタ材料のプリーツ付き複合層を形成するとともに連続し、隣接し、抵抗のない全体構造を有するように、前記可撓性プラスチック材料およびフィルタ材料の多層にプリーツを付けるステップと、
概して前記着用者の前記顔面の輪郭に適合する型構成を有する、オス型およびメス型成形部材を提供するステップと、
前記可撓性プラスチック材料およびフィルタ材料のプリーツ付き複合層を、前記オス型およびメス型成形部材の間で移動させるステップと、
前記フィルタ材料の層を携持する支持層を形成するように、前記少なくとも１層の透かし加工可撓性プラスチック材料を成形し、顔面の拡張および収縮によるあらゆる顔面の動きを許容するように連続し、隣接し、抵抗のない全体構造を有することによって、前記プリーツ付きフィルタリングフェイスピースマスクを所望の構成に形成するように、前記オス型およびメス型成形部材を一緒にプレスするステップと、
を含む、方法。
【請求項２】
透かし加工可撓性プラスチック材料の２つの層が提供され、前記フィルタ材料の層は、前記オス型およびメス型成形部材が一緒にプレスされる時に、前記透かし加工可撓性プラスチックの層の間で挟持される、請求項１に記載の方法。
【請求項３】
前記プリーツ付きフィルタリングフェイスピースマスクの内表面を被覆するためにプリーツを付けるステップの前に、軟質織物の層を提供し、透かし加工可撓性プラスチック材料の前記２つの層のうちの内側の１つに隣接して、前記軟質織物の層を置くステップをさらに含む、請求項２に記載の方法。
【請求項４】
前記プリーツ付きフィルタリングフェイスピースマスクの内表面を前記軟質弾性材料で被覆するためにプリーツを付けるステップの後に、軟質弾性織物の層を提供し、前記透かし加工可撓性プラスチック材料の２つの層のうちの内側の１つに隣接して、前記軟質織物の層を置くステップをさらに含む、請求項２に記載の方法。
【請求項５】
前記軟質弾性材料は、プロピレン系エラストマーとして形成される、請求項４に記載の方法。
【請求項６】
前記軟質弾性材料は、有孔スパンボンドとして形成される、請求項４に記載の方法。
【請求項７】
前記フィルタリングフェイスピースマスクの周辺縁部を密閉するように、前記透かし加工可撓性プラスチックおよびフィルタ材料のプリーツ付き層の周辺縁部を加熱するステップをさらに含む、請求項２に記載の方法。
【請求項８】
前記成形するステップの前に、前記透かし加工可撓性プラスチックおよびフィルタ材料のプリーツ付き層を、ある特定の構成に事前切断するステップをさらに含む、請求項２に記載の方法。
【請求項９】
前記フィルタリングフェイスピースマスクの前記周辺縁部の周囲にフランジを取り付けるステップをさらに含む、請求項２に記載の方法。
【請求項１０】
前記プリーツ付きフィルタリングフェイスピースマスクの前記内表面を被覆するためにプリーツを付けるステップの前に、軟質織物の層を提供し、前記透かし加工可撓性プラスチック材料およびフィルタ材料の層のうちの内側の１つに隣接して、前記軟質織物の層を置くステップをさらに含む、請求項１に記載の方法。
【請求項１１】
前記プリーツ付きフィルタリングフェイスピースマスクの前記内表面を前記軟質弾性材料で被覆するためにプリーツを付けるステップの後に、軟質弾性織物の層を提供し、前記透かし加工可撓性プラスチック材料およびフィルタ材料の層のうちの内側の１つに隣接して、前記軟質織物の層を置くステップをさらに含む、請求項１に記載の方法。
【請求項１２】
前記軟質弾性材料は、プロピレン系エラストマーとして形成される、請求項１１に記載の方法。
【請求項１３】
前記軟質弾性材料は、有孔スパンボンドとして形成される、請求項１１に記載の方法。
【請求項１４】
前記プリーツ付きフィルタリングフェイスピースマスクの前記周辺縁部を密閉するように成形するステップの後に、前記少なくとも１層の透かし加工可撓性プラスチック材料およびフィルタ材料の前記周辺縁部を加熱するステップをさらに含む、請求項１に記載の方法。
【請求項１５】
前記成形するステップの前に、透かし加工可撓性プラスチックおよびフィルタ材料の前記プリーツ付き層を、ある特定の構成に事前切断するステップをさらに含む、請求項１に記載の方法。
【請求項１６】
前記フィルタリングフェイスピースマスクの前記周辺縁部の周囲にフランジを取り付けるステップをさらに含む、請求項１に記載の方法。
【請求項１７】
着用者の前記顔面に装着され、かつフィルタリングを提供するための、顔面の拡張および収縮によるあらゆる顔面の動きを許容するように連続し、隣接し、抵抗のない全体構造を有する可撓性プリーツ付き成形フィルタリングフェイスピースマスクであって、
支持体および前記透かし加工プラスチックを通る前記空気の自由な通過を可能にするための複数の穿孔を提供するために、透かし加工可撓性プラスチック材料から形成される、少なくとも１層の成形可能な可撓性プラスチック材料と、
前記空気中の不純物を濾過するための、成形可能なフィルタ材料の層と、
を含み、
透かし加工可撓性プラスチック材料から形成される、前記少なくとも１層の可撓性プラスチック材料、および空気中の不純物を濾過するための前記フィルタ材料の層は、可撓性プラスチック材料およびフィルタ材料の成形可能な多層を形成するように、順に重なって位置し、
前記可撓性プラスチック材料およびフィルタ材料の成形可能な多層は、プリーツ付き材料になるようにプリーツ付けされ、前記プリーツ付きフィルタリングフェイスピースマスクを所望の構成に形成に形成するように成形され、
前記少なくとも１層の透かし加工可撓性プラスチック材料は、前記フィルタ材料の層をキャリーする支持層を形成し、顔面の拡張および収縮によるあらゆる顔面の動きを許容するように連続し、隣接し、抵抗のない全体構造を有する可撓性プリーツ付き成形フィルタリングフェイスピースマスク。
【請求項１８】
透かし加工可撓性プラスチック材料の２つの層を含み、前記フィルタ材料の層は、前記透かし加工可撓性プラスチック材料の２つの層が、前記プリーツ付きフィルタリングフェイスピースマスクを形成するように成形される時に、前記透かし加工可撓性プラスチックの２つの層の間で挟持される、請求項１７に記載の可撓性プリーツ付き成形フィルタリングフェイスピースマスク。
【請求項１９】
加えて、軟質織物の層を含み、前記プリーツ付きフィルタリングフェイスピースマスクの前記内表面を被覆するためにプリーツを付ける前に、前記透かし加工可撓性プラスチック材料およびフィルタ材料の層のうちの内側の１つに隣接して置かれる、請求項１７に記載の可撓性プリーツ付き成形フィルタリングフェイスピースマスク。
【請求項２０】
加えて、軟質弾性織物の層を含み、前記プリーツ付きフィルタリングフェイスピースマスクの前記内表面を前記軟質弾性材料で被覆するためにプリーツを付けた後に、前記透かし加工可撓性プラスチック材料の層のうちの内側の１つに隣接して置かれる、請求項１７に記載の可撓性プリーツ付き成形フィルタリングフェイスピースマスク。
【請求項２１】
前記軟質弾性材料は、プロピレン系エラストマーである、請求項２０に記載の可撓性プリーツ付き成形フィルタリングフェイスピースマスク。
【請求項２２】
前記軟質弾性材料は、有孔スパンボンドである、請求項２０に記載の可撓性プリーツ付き成形フィルタリングフェイスピースマスク。
【請求項２３】
前記プリーツ付きフィルタリングフェイスピースマスクの密閉周辺縁部をさらに含む、請求項１７に記載の可撓性プリーツ付き成形フィルタリングフェイスピースマスク。
【請求項２４】
前記フィルタリングフェイスピースマスクの前記周辺縁部の周囲に取り付けられるフランジをさらに含む、請求項１７に記載の可撓性プリーツ付き成形フィルタリングフェイスピースマスク。
【請求項２５】
以下のステップを含む、着用者の顔面に装着され、かつフィルタリングを提供するためのプリーツ付きフィルタリングフェイスピースマスクを作製する方法であって、
透かし加工プラスチックを通る空気の自由な通過を可能にするための複数の穿孔を提供するために、透かし加工可撓性プラスチック材料から形成される、少なくとも１層の可撓性プラスチック材料を提供するステップと、
空気中の不純物を濾過するための、フィルタ材料の層を提供するステップと、
順に重ねて位置して可撓性プラスチック材料およびフィルタ材料の多層を形成するように、透かし加工可撓性プラスチック材料から形成される前記少なくとも１層の可撓性プラスチック材料、および空気中の不純物を濾過するための前記フィルタ材料の層を置くステップと、
プリーツ付き材料になるようにシート材料にプリーツを付けるためのプリータを提供するステップと、
前記可撓性プラスチック材料およびフィルタ材料の多層を前記プリータに移動させるステップと、
可撓性プラスチック材料およびフィルタ材料のプリーツ付き複合層を形成するように、前記可撓性プラスチック材料およびフィルタ材料の多層にプリーツを付けるステップと、
概して前記着用者の前記顔面の輪郭に適合する型構成を有する、オス型およびメス型成形部材を提供するステップと、
前記可撓性プラスチック材料およびフィルタ材料のプリーツ付き複合層を、前記オス型およびメス型成形部材の間で移動させるステップと、
前記フィルタ材料の層を携持する支持層を形成するように、前記少なくとも１層の透かし加工可撓性プラスチック材料を成形することによって、前記プリーツ付きフィルタリングフェイスピースマスクを所望の構成に形成するように、前記オス型およびメス型成形部材を一緒にプレスするステップと、
を含む、方法。
【請求項２６】
着用者の前記顔面に装着され、かつフィルタリングを提供するためのプリーツ付き成形フィルタリングフェイスピースマスクであって、
前記透かし加工プラスチックを通る前記空気の自由な通過を可能にするための複数の穿孔を提供するために、透かし加工可撓性プラスチック材料から形成される、少なくとも１層の成形可能な可撓性プラスチック材料と、
前記空気中の不純物を濾過するための、成形可能なフィルタ材料の層と、
を含み、
透かし加工可撓性プラスチック材料から形成される、前記少なくとも１層の可撓性プラスチック材料、および空気中の不純物を濾過するための前記フィルタ材料の層は、可撓性プラスチック材料およびフィルタ材料の成形可能な多層を形成するように、順に重なって位置し、
前記可撓性プラスチック材料およびフィルタ材料の成形可能な多層は、プリーツ付き材料になるようにプリーツ付けされ、前記プリーツ付きフィルタリングフェイスピースマスクを所望の構成に形成に形成するように成形され、前記少なくとも１層の透かし加工可撓性プラスチック材料は、前記フィルタ材料の層をキャリーする支持層を形成する、
プリーツ付き成形フィルタリングフェイスピースマスク。